(57)【要約】【課題】軽量化ができ、コストの低減が図れ、かつ背負い心地性のよい背負式作業機を提供する。【解決手段】本発明に係る背負式作業機１０は、作業機本体部１２、１５の左右上部に設けられた上部取付部２４ａ、２４ｂに上部が取り付けられ、作業機本体部１２、１５の左右下部に設けられた下部取付部２８ａ、２８ｂに下部が取り付けられ、作業者の両肩にそれぞれ掛けられる左右一対の背負ベルト２６を有する背負式作業機１０において、背負ベルト２６は、その下部が作業機本体部１２、１５の前方方向、かつ斜め上方を向くように、下部取付部２８ａ、２８ｂに取り付けられることを特徴とする。【選択図】図２
2020078774.tif 000002
【特許請求の範囲】
【請求項１】
作業機本体部の左右上部に設けられた上部取付部に上部が取り付けられ、前記作業機本体部の左右下部に設けられた下部取付部に下部が取り付けられ、作業者の両肩にそれぞれ掛けられる左右一対の背負ベルトを有する背負式作業機において、
前記背負ベルトは、その下部が前記作業機本体部の前方方向、かつ斜め上方を向くように、前記下部取付部に取り付けられることを特徴とする背負式作業機。
【請求項２】
前記下部取付部が、前記作業機本体部の側壁から外方に突出して設けられ、後端側が高く前端側が低くなるように傾斜する取付片に形成され、
前記取付片に細長の挿通孔が形成され、
前記背負ベルトはその下部が前記挿通孔に挿通されると共に、下部先端側が前記取付片の前記挿通孔の縁片を巻き込むようにして折り返されて前記下部に固定されることにより前記取付片に取り付けられることを特徴とする請求項１記載の背負式作業機。
【請求項３】
前記背負ベルトが、固定具により長さ調節可能に取り付けられることを特徴とする請求項１または２記載の背負式作業機。
【請求項４】
前記作業機本体部が、散布される薬液が収納される樹脂製のタンクと、該タンク内の薬液を送出するポンプを含むポンプユニットを収納する樹脂製の収納ボックスを具備し、
前記下部取付部が、前記タンクと前記収納ボックスの少なくとも一方に設けられていることを特徴とする請求項１〜３いずれか１項記載の背負式作業機。
【請求項５】
前記取付片が前記タンクと前記収納ボックスの双方に設けられ、
前記タンクに設けられた前記取付片と前記収納ボックスに設けられた前記取付片とが、互いに前記挿通孔を一致させて当接していて、
前記背負ベルトはその下部が前記両挿通孔に挿通されると共に、下部先端側が前記両取付片の前記挿通孔の縁片を巻き込むようにして折り返されて前記下部に固定されることにより前記取付片に取り付けられることを特徴とする請求項２〜４いずれか１記載の背負式作業機。
【発明の詳細な説明】
【技術分野】
【０００１】
本発明は、液体散布用の噴霧器等のような背負式作業機に関する。
【背景技術】
【０００２】
背負式作業機は、作業機本体部の左右上部に設けられた上部取付部に上部が取り付けられ、前記作業機本体部の左右下部に設けられた下部取付部に下部が取り付けられ、作業者の両肩にそれぞれ掛けられる左右一対の背負ベルトを有する。
この背負式作業機における背負ベルトは、その下部に金属製のナスカン（環状連結部）が取り付けられ、このナスカンを、下部取付部の係止孔に係止することにより、ワンタッチで作業機本体部に固定できるものが知られている（例えば特許文献１：特開２０１４−３０４０４号公報）。
【先行技術文献】
【特許文献】
【０００３】
【特許文献１】特開２０１４−３０４０４号公報
【発明の概要】
【発明が解決しようとする課題】
【０００４】
背負式作業機では、作業者の負担を軽減するため、出来る限りの軽量化が求められる。
この点、特許文献１のものでは、小さい部品とは言え、背負ベルトを固定するために金属製のナスカンを用いているため、その分重量が大きくなってしまうという課題がある。
【課題を解決するための手段】
【０００５】
本発明は上記課題を解決すべくなされたものであり、その目的とするところは、軽量化ができ、コストの低減が図れ、かつ背負い心地性のよい背負式作業機を提供することにある。
【０００６】
上記の目的を達成するため、本発明は次の構成を備える。
すなわち、本発明に係る背負式作業機は、作業機本体部の左右上部に設けられた上部取付部に上部が取り付けられ、前記作業機本体部の左右下部に設けられた下部取付部に下部が取り付けられ、作業者の両肩にそれぞれ掛けられる左右一対の背負ベルトを有する背負式作業機において、前記背負ベルトは、その下部が前記作業機本体部の前方方向、かつ斜め上方を向くように、前記下部取付部に取り付けられることを特徴とする。
【０００７】
前記下部取付部が、前記作業機本体部の側壁から外方に突出して設けられ、後端側が高く前端側が低くなるように傾斜する取付片に形成され、前記取付片に細長の挿通孔が形成され、前記背負ベルトはその下部が前記挿通孔に挿通されると共に、下部先端側が前記取付片の前記挿通孔の縁片を巻き込むようにして折り返されて前記下部に固定されることにより前記取付片に取り付けられるようにすると好適である。
【０００８】
前記背負ベルトを、固定具により長さ調節可能に取り付けるようにするとよい。
前記作業機本体部が、散布される薬液が収納される樹脂製のタンクと、該タンク内の薬液を送出するポンプを含むポンプユニットを収納する樹脂製の収納ボックスを具備し、前記下部取付部を、前記タンクと前記収納ボックスの少なくとも一方に設けるようにすることができる。
あるいは、前記取付片を前記タンクと前記収納ボックスの双方に設けるようにすることができる。
【発明の効果】
【０００９】
本発明によれば、軽量化ができ、コストの低減が図れ、かつ背負い心地性のよい背負式作業機を提供することができる。
【図面の簡単な説明】
【００１０】
【図１】液体散布用の背負式噴霧器の背面図である。
【図２】液体散布用の背負式噴霧器の側面図である。
【図３】液体散布用の背負式噴霧器の斜視図である。
【図４】液体散布用の背負式噴霧器の拡大図である。
【図５】背負ベルトの取付け状態を示す説明断面図である。
【発明を実施するための形態】
【００１１】
以下本発明の実施の形態を添付図面に基づき詳細に説明する。
図１は背負式液体散布用の噴霧器１０の背面図、図２はその側面図、図３はその斜視図、図４は拡大図、図５は背負ベルトの取付け状態を示す説明断面図である。
１２はタンクであり、樹脂製であってブロー成形によって形成されている。タンク１２の上部にタンク１２内に液体（薬液）が注ぎ込まれる注入口が形成され、該注入口に注入口を開閉する蓋体１３が螺着される。
【００１２】
タンク１２の背面側下部には凹部１４が形成されている。凹部１４は、下方および左右両側方に開放している。該凹部１４に、タンク１２内の薬液をホース（図示せず）を通じて噴口（図示せず）に送出するポンプユニット（図示せず）、およびバッテリ（図示せず）等が収容される収納ボックス１５が取り付けられている。収納ボックス１５は、樹脂製であって例えばインジェクション成形により形成される。
【００１３】
１６は、ポンプ駆動用のモータ（図示せず）をオン、オフするスイッチである。
また、１７は、ポンプに接続されて薬液を噴口（図示せず）に送出する前記ホース（図示せず）が引き出される孔である。１８は、タンク１２内の薬液を排出するドレン孔を開閉するキャップである。
【００１４】
凹部１４は、タンク１２の水平底面に対して約３０°の角度で傾斜する上部壁面２０ａと、該上部壁面２０ａ下端から水平底面に対して約６０°の角度で傾斜する中間壁面２０ｂと、該中間壁面２０ｂ下端から水平底面に向かってほぼ垂直に下降する下部壁面２０ｃからなる壁面を有する。
【００１５】
収納ボックス１５は、凹部１４の上部壁面２０ａに当接する上部壁面２２ａ、凹部１４の中間壁面２０ｂに当接する中間壁面２２ｂ、および凹部１４の下部壁面２０ｃに当接する下部壁面２２ｃからなる壁面を有する。収納ボックス１５は、これら壁面において、図示しない固定ネジなどによりタンク１２に固定される。
なお、タンク１２と収納ボックス１５により作業機本体が構成される。
【００１６】
タンク１２の左右上部に一対の上部取付部２４ａ、２４ｂが設けられている。
なお、本実施の形態において、左右とは、背負式噴霧器（噴霧器）１０を背負う作業者から見ての左右方向を意味する。また、前方とは、作業者に背負われるタンク１２の作業者の背中側を前方、その反対側を後方とする。
【００１７】
上部取付部２４ａ、２４ｂは、タンク１２の各肩部（側壁上部）に外方に向けて突出する片状に設けられ、この突出片に、外側に向けて低くなるように傾斜する挿通孔２５が設けられている。
【００１８】
この挿通孔２５に背負ベルト２６（図２、図５）の上部が挿通され、適宜固定手段により固定されることにより各背負ベルト２６の上部が上部取付部２４ａ、２４ｂに固定される。挿通孔２５が、外側に向けて低くなるように傾斜して設けられているから、この挿通孔２５に挿通される背負ベルト２６が作業者の肩部になじみ良く密着する。
【００１９】
また、本実施の形態では、作業機本体の左右下部に背負ベルト２６の下部が取り付けられる下部取付部２８ａ、２８ｂが設けられている。
下部取付部２８ａと、下部取付部２８ｂとは左右対称に同じ構造に形成されている。
下部取付部２８ｂについて説明する。
【００２０】
下部取付部２８ｂは、作業機本体部の側壁から外方に突出して設けられ、後端側が高く前端側が低くなるように傾斜する取付片２９、３０に形成されている。
具体的には、下部取付部２８ｂは、タンク１２の側壁であって、中間壁面２０ｂに沿うようにして外方に耳状に突出して設けられた取付片２９と、収納ボックス１５の側壁であって、中間壁面２２ｂに沿うようにして外方に耳状に突出する取付片３０とからなる。
【００２１】
取付片２９には、一部下部壁面２０ｃに沿って伸びるリブ部分２９ａを有する。すなわち、取付片２９は「くの字」状に屈曲しており、これにより強度が増している。
下部取付部２８ａも取付片２９、取付片３０からなる。
【００２２】
取付片２９、取付片３０には、背負ベルト２６挿通用の細長の挿通孔３１、３２がそれぞれ設けられている。この挿通孔３１、３２は、タンク１２の側壁面とほぼ平行になるように設けられている。したがって、挿通孔３１、３２は、タンク１２に対して、後端側が高くなり、前端側が低くなるように上下方向に伸びる細孔状をなす。
【００２３】
取付片２９と取付片３０とは、収納ボックス１５がタンク１２の凹部１４に組み付けられた際、その挿通孔３１、３２を一致させて互いに当接するように構成されている。
【００２４】
そして本実施の形態では、背負ベルト２６はその下部が両挿通孔３１、３２に挿通されると共に、先端側が両取付片２９、３０の挿通孔３１、３２の縁片２９ｂ、３０ｂを巻き込むようにして折り返されて、固定具３４により長さ調節可能に取付片２９、３０に取り付けられることを特徴とする。
【００２５】
固定具３４はどのような固定具であってもよいが、図４、図５に示すように、漢字の「日」の字状をなす樹脂製の公知の固定具３４を好適に用いることができる。すなわち、背負ベルト２６の下部先端側を、固定具３４の２つのスリットに通し、さらに挿通孔３１、３２に通し、縁片２９ｂ、３０ｂを巻き込むようにして折り返し、折り返し部を再度固定具３４の２つのスリットを通すようにして、固定具３４の３本の横桟との間の抵抗によって、背負ベルト２６を固定するようにするのである。
【００２６】
前記のように、取付片２９、３０は、タンク１２、収納ボックス１５に対して、後端側が高く前端側が低くなるように傾斜した取付片２９、３０に形成されている。本実施の形態では、取付片２９、３０は、タンク１２の水平底面に対して約６０°の角度で傾斜するように設けられている。
【００２７】
このような取付片２９、３０に、背負ベルト２６を、挿通孔３１、３２の縁片２９ｂ、３０ｂを巻き込むように取り付ければ、図４に示すように、背負ベルト２６は、タンク１２の水平底面に対して約３０°の角度で、前方、かつ斜め上方を向くように、取付片２９、３０に取り付けられる。
【００２８】
したがって、背負ベルト２６は、作業者の脇の下方向に向かって伸びることから、作業者の体の側面に沿うように自然に伸び、作業者は、心地よくタンク１２を背負うことができる。
また、背負ベルト２６は、タンク１２に対して、側面の下部から斜め上方に引き上げる方向に力が作用するから、薬液が収納されて重量の大きなタンク１２を好適に支え持つことができる。
【００２９】
また、背負ベルト２６は、タンク１２、および収納ボックス１５に対して斜め上方に伸びるから、タンク１２を地面等に置いた際、背負ベルト２６を地面とタンク１２との間に挟み込んでしまうようなことがなく、タンク１２を背負う際の作業性がよくなる。
【００３０】
取付片２９、３０は、タンク１２と収納ボックス１５の双方に設けるのが強度上好ましいが、タンク１２と収納ボックス１５のいずれか一方に設けるのでもよい。
また、取付片２９、３０のタンク１２に対する傾斜角度は上記に限定されることはない。タンク１２の大きさにもよるが、タンク１２の水平底面に対して、５０°〜７０°位の傾斜角度とするのがよい。要は、タンク１２を背負った際に、背負ベルト２６が作業者の両脇の下方向に伸びるようにするとよい。
【００３１】
以上のように、本実施の形態によれば、背負ベルト２６の部位において金属製のものを用いないから軽量化ができ、コストの低減が図れる。また、背負ベルトの角度を上記のように設定することで背負い心地性のよい背負式作業機を提供することができる。
【符号の説明】
【００３２】
１０  液体散布用の噴霧器（背負式作業機）
１２  タンク
１３  蓋体
１４  凹部
１５  収納ボックス
１６  スイッチ
１７  孔
１８  キャップ
２０ａ  ２２ａ  上部壁面
２０ｂ  ２２ｂ  中間壁面
２０ｃ  ２２ｃ  下部壁面
２４ａ  ２４ｂ  上部取付部
２５  挿通孔
２６  背負ベルト
２８ａ  ２８ｂ  下部取付部
２９  ３０  取付片
３１  ３２  挿通孔
３４  固定具
【図１】
2020078774.tif 000003
【図２】
2020078774.tif 000004
【図３】
2020078774.tif 000005
【図４】
2020078774.tif 000006
【図５】
2020078774.tif 000007